(57)【要約】【課題】現場での取り付け作業が容易で、リフォーム等において既設の障子に容易に取り付けることができ、また、障子が小型で框の長さが短い場合にも取り付けることができ、しかも、小開口時における障子の拘束力に優れた小開口制限機構を有するロック装置、及びそのロック装置を備えた建具を提供する。【解決手段】ハンドルの操作により移動可能に構成される連動バーＢに設けられたロックピンＰまたはロック部材１が、対向配置されたロック部材またはロックピンの係合位置と非係合位置との間を移動することにより障子を施錠・解錠するロック装置Ａにおいて、ロック部材は、障子の小開口の開口長に対応した長さの複数のリンク片２０，３０が連結され、複数のリンク片は、互いに折り畳まれて積層可能に構成され、かつ、複数のリンク片にロックピンが係合可能な長穴２３，３３がそれぞれ形成されている。【選択図】図２
2015196969.tif 000002
【特許請求の範囲】
【請求項１】
ハンドルの操作により移動可能に構成される連動バーに設けられたロックピンまたはロック部材が、対向配置されたロック部材またはロックピンの係合位置と非係合位置との間を移動することにより障子を施錠・解錠するロック装置において、
前記ロック部材は、前記障子の小開口の開口長に対応した長さの複数のリンク片が連結され、
該複数のリンク片は、互いに折り畳まれて積層可能に構成され、かつ、前記複数のリンク片に前記ロックピンが係合可能な長穴がそれぞれ形成されていることを特徴とするロック装置。
【請求項２】
枠体内に開閉自在な障子が設けられる建具において、
前記枠体及び障子に、請求項１に記載のロック装置が組み込まれていることを特徴とする建具。
【請求項３】
前記リンク片が、前記障子の戸先と、該戸先に対向する建具の枠体との間を連結する位置に設けられていることを特徴とする請求項２に記載の建具。
【発明の詳細な説明】
【技術分野】
【０００１】
本発明は、障子の開状態を小開口に制限する機構を備えたロック装置、およびそのロック装置を備えた建具に関する。
【背景技術】
【０００２】
従来から、障子の開状態を小開口に制限する機構を備えた縦すべり出し窓がある（例えば、特許文献１参照）。特許文献１の小開口制限機構は、枠体の下枠に設けられる枠プレート、障子の下框に設けられる障子プレート及びこれら両プレート間に連結されるアームを有している。そして、そのアームには、一端側にピンでヒンジ結合され、他端側に第一係止部を有するロックアームが連結されている。また、障子プレートには、ロックアームの第一係止部に係合自在な第二係止部が備えられている。
【０００３】
上記構成からなる小開口制限機構は、ロックアームに設けられたスイッチの操作により、ロックアームの第一係止部と障子プレートの第二係止部とが係止又は解除される。そして、第一係止部と第二係止部とが係止状態にあるときは、障子が小開口状態で保持される。このように、小開口制限機構により障子を小開口状態で保持することができると、風による障子のあおり防止を図ることができたり、隣地境界に影響を及ぼすことなく障子の開閉を行うことができたりする。
【先行技術文献】
【特許文献】
【０００４】
【特許文献１】特開２００２−７０３９７号公報
【発明の概要】
【発明が解決しようとする課題】
【０００５】
しかしながら、従来の小開口制限機構は、リフォーム時等で既設の建具に付加しようとする場合、現場において多くの加工作業を必要とするため、後付けに不向きであるという問題があった。例えば、上記特許文献１に示される小開口制限機構を後付けしようとする場合、現場において既存の枠体や障子の框などに罫書や孔あけ等の加工が必要となるため、施工に時間や手間がかかるという問題があった。また、新規に小開口制限機構を備えた建具を製造する際にも、小開口制限機構を付加するために枠体や障子に別途加工が必要になり、生産効率が低下するという問題もあった。さらに、小開口制限機構を障子の框を利用して取り付ける場合、障子が小型で框の長さが短い場合には、小開口制限機構を取り付けることが困難であるという問題もあった。
【０００６】
本発明は、上述する問題点に鑑みてなされたもので、現場での取り付け作業が容易で、リフォーム等において既設の障子に容易に取り付けることができ、また、障子が小型で框の長さが短い場合にも取り付けることができ、しかも、小開口時における障子の拘束力に優れた小開口制限機構を有するロック装置、及びそのロック装置を備えた建具を提供することを目的とする。
【課題を解決するための手段】
【０００７】
上記目的を達成するため、本発明に係るロック装置は、ハンドルの操作により移動可能に構成される連動バーに設けられたロックピンまたはロック部材が、対向配置されたロック部材またはロックピンの係合位置と非係合位置との間を移動することにより障子を施錠・解錠するロック装置において、前記ロック部材は、前記障子の小開口の開口長に対応した長さの複数のリンク片が連結され、該複数のリンク片は、互いに折り畳まれて積層可能に構成され、かつ、前記複数のリンク片に前記ロックピンが係合可能な長穴がそれぞれ形成されていることを特徴としている。
【０００８】
上記発明によれば、ロック部材は、既存の建具にも備えられているため、既存のロック部材を本発明にかかる複数のリンク片が連結されたロック部材に交換するだけで、建具に小開口機能を付加することができる。また、新規に建具を製造する際にも、予め複数のリンク片が連結されたロック部材を用意することができ、このロック部材を枠体または障子に取り付けるだけで小開口機能を付加させることができる。つまり、新規に建具を製造する際に、建具の生産効率を低下させることなく、小開口機能を付加させることができる。さらに、ロック部材の複数のリンク片が積層できるとともに、直線状に伸長できるように連結されているため、コンパクト化された小開口機能を有するロック装置を実現することができ、障子が小型で框の長さが短い場合にも取り付けることができる。
【０００９】
また、本発明に係る建具は、枠体内に開閉自在な障子が設けられる建具において、前記枠体及び障子に、上述したいずれかのロック装置が組み込まれていることを特徴としている。
【００１０】
上記発明によれば、ロック部材は、既存の建具にも備えられているため、既存のロック部材を本発明にかかる複数のリンク片が連結されたロック部材に交換するだけで、建具に小開口機能を付加することができる。また、新規に建具を製造する際にも、予め複数のリンク片が連結されたロック部材を用意することができ、このロック部材を枠体または障子に取り付けるだけで小開口機能を付加させることができる。つまり、新規に建具を製造する際に、建具の生産効率を低下させることなく、小開口機能を付加させることができる。さらに、ロック部材の複数のリンク片が積層できるとともに、直線状に伸長できるように連結されているため、コンパクト化された小開口機能を有するロック装置を実現することができ、障子が小型で框の長さが短い場合にも取り付けることができる。
【００１１】
また、前記リンク片が、前記障子の戸先と、該戸先に対向する建具の枠体との間を連結する位置に設けられていてもよい。
このように構成することにより、複数のリンク片が障子の戸先と枠体との間に設けられるため、強風等により障子に強い力が作用しても安定的に小開口状態を保持することができる。
【発明の効果】
【００１２】
本発明のロック装置および建具によれば、現場での取り付け作業が容易で、リフォーム等において既設の障子に容易に取り付けることができ、また、障子が小型で框の長さが短い場合にも取り付けることができ、しかも、小開口時における障子の拘束力に優れた小開口制限機構を有するロック装置、及びそのロック装置を備えた建具を実現することができる。
【図面の簡単な説明】
【００１３】
【図１】本発明の実施形態に係るロック装置を備えた建具の斜視図である。
【図２】本発明の実施形態に係るロック装置の斜視図である。
【図３】（ａ）〜（ｇ）は、本発明の実施形態に係るロック装置の動作説明図である。
【発明を実施するための形態】
【００１４】
以下、本発明に係る実施形態のロック装置および建具について、図面に基づいて説明する。なお、本発明は、この実施の形態により限定されるものではなく、また、下記の実施形態における構成要素には、当業者が置換可能かつ容易なもの、あるいは実質的に同一のものも含まれる。
【００１５】
図１に示すように、建具Ｔは、一般的な縦すべり出し窓であり、四方組みされた枠体Ｆ内に障子Ｗが組み込まれて構成されている。この建具Ｔは、枠体Ｆの下枠Ｆ１に設けられているオペレータハンドルＨの回動により、周知の縦すべり出し窓と同様に、障子Ｗの上下框とそれぞれ対向する枠体との間に設けられたアームに案内され、障子Ｗの一方側（図１では左側）の縦框Ｗ１を戸先として開閉できるように構成されている。そして、縦框Ｗ１に対向する枠体Ｆの縦枠Ｆ２には、障子Ｗを施錠又は解錠するためのロックハンドルＲが設けられている。なお、本実施形態では、建具Ｔとして、縦框Ｗ１の長さが短い小窓タイプのものを用いて説明する。
【００１６】
障子Ｗの一方側の縦框Ｗ１及び枠体Ｆの一方側の縦枠Ｆ２には、本実施形態における障子Ｗの小開口制限機構を有するロック装置Ａが設けられている。
【００１７】
図１に示すように、縦枠Ｆ２には、ロックピンＰが設けられている。ロックピンＰは、周知のロック装置と同様に、ロックハンドルＲが施錠状態から解錠状態又は解錠状態から施錠状態に回動されたときに、縦枠Ｆ２内の長手方向に沿って所定距離移動（図１では上下動）する連動バーＢ（図２参照）に設けられている。したがって、ロックピンＰも連動バーＢの上下移動に合わせて移動することができる。
【００１８】
また、ロックピンＰは、周知のロック装置に設けられているロックピンと同様に、所定径の軸部と、その軸部の先端に設けられるとともに、その軸部の径よりも大きな径を有する頭部とを有して構成されている。そして、そのロックピンＰの頭部と、その頭部側の軸部の一部分とが縦枠Ｆ２の表面から突出するようにして連動バーＢに設けられている。
【００１９】
ロック部材１の構成については、図２（図３（ｅ）の「障子小開口停止状態」に相当）を主に用いて説明する。なお、図３（ａ）〜図３（ｇ）は、障子Ｗ側からロック部材１を見た図として示されている。
このロック部材１は、ベース片１０、第１リンク片２０及び第２リンク片３０から構成されている。
【００２０】
ベース片１０は、ＳＵＳ等の鋼製の長尺状の板材からなり、その幅が縦框Ｗ１の戸先側の幅よりも少し小さく、長さがロックピンＰの移動距離（上下動の距離）より少し長くなるように決められている。そして、このベース片１０の長手方向の中央部付近には、ロックピンＰに対向する側が開口するとともに、障子Ｗが閉じられたときに（図３（ａ）参照）、ロックピンＰの頭部が挿入できるとともに、その挿入されたロックピンＰの頭部が上下動できる空間（長穴）１１が長手方向に沿って形成されている。
【００２１】
このベース片１０の長手方向の両側には、貫通孔が形成された取付部１２ａ，１２ｂがそれぞれ設けられていて、ベース片１０が障子Ｗの一方側の縦框Ｗ１にビスｂ１，ｂ２を用いて取り付けられるように構成されている。また、このベース片１０の空間１１における縦框Ｗ１に対向する面は、縦框Ｗ１側から離れる方向に窪んで形成（縦框Ｗ１の表面から膨出するように形成）されていて、空間１１内に挿入されたロックピンＰの頭部の移動に支障を来さないように構成されている。
【００２２】
このベース片１０の長手方向の両側にそれぞれ設けられる取付部１２ａ，１２ｂの間隔は、既存のロック装置のロック部材の取付位置と同一に決められている。したがって、既設の小開口機構を備えないロック装置を取り外し、本実施形態の小開口制限機構を有するロック装置Ａに容易に変更することができる。なお、ロックピンＰは既設のものがそのまま使用される。
【００２３】
障子Ｗの縦框Ｗ１側に設けられるベース片１０及び枠体Ｆの縦枠Ｆ２側に設けられるロックピンＰの位置関係は、障子Ｗが閉じられたときにロックピンＰの頭部がベース片１０の空間１１に開口を介して挿入・抜去可能に構成され、かつ、ロックハンドルＲの回動に合わせてロックピンＰが空間１１内を上下動できるように構成されている。
【００２４】
第１リンク片２０は、ＳＵＳ等の鋼製の長尺状の板材からなり、その幅がベース片１０の幅と略同一で、障子Ｗの小開口の開口長に対応した長さの略半分の長さを有している。第１リンク片２０の長手方向の一端側はベース片１０に連結され、長手方向の他端側は第２リンク片３０に連結されている。
そして、この第１リンク片２０の長手方向の一端側の一方の面は、ベース片１０の長手方向の一端側（図２では上端側）で、かつ、障子Ｗ側と反対側の面において、支軸２１を介して回動自在に軸支されている。
【００２５】
支軸２１の周囲には、第１リンク片２０に外力が加わらないときに、その第１リンク片２０をベース片１に積層する方向に力が働くコイルバネ２２が設けられている。また、この支軸２１による第１リンク片２０のベース片１０に対する支持は、支軸２１から離れた位置で第１リンク片２０をその支軸２１の軸心方向に人手により力を加えたときに、第１リンク片２０が多少移動できる状態に遊びが設けられている。
【００２６】
この第１リンク片２０には、その長手方向に沿って長穴２３が形成されている。この長穴２３の長手方向の長さは、ベース片１０に設けられている空間１１の長手方向の長さと略同一に形成されている（図３（ａ）参照）。そして、この長穴２３における支軸２１の反対側には、ロックピンＰの挿入・抜去を許すように開口された幅広部２４が形成されている。また、長穴２３における支軸２１側には、ロックピンＰの軸部の上下動を許すとともに頭部の抜けを阻止する狭小部２５が形成されている。
【００２７】
第２リンク片３０は、ＳＵＳ等の鋼製の長尺状の板材からなり、その幅が第１リンク片２０の幅と略同一で、その長手方向の長さがその第１リンク片２０と略同一に、すなわち、障子Ｗの小開口の開口長に対応した長さの略半分の長さを有している。そして、この第２リンク片３０の長手方向の一端側の一方側の面は、第１リンク片２０の長手方向の他端側（図２では下端側）の他方側の面で、支軸３１を介して回動自在に軸支されている。
【００２８】
支軸３１の周囲には、第２リンク片３０に外力が加わらないときに、その第２リンク片３０を第１リンク片２０に積層する方向に力が働くコイルバネ３２が設けられている。また、この支軸３１による第２リンク片３０の第１リンク片２０に対する支持は、支軸３１から離れた位置で第２リンク片３０をその支軸３１の軸心方向に人手により力を加えたときに、多少移動できる状態に遊びが設けられている。
【００２９】
この第２リンク片３０には、その長手方向に沿って長穴３３が形成されている。この長穴３３の長手方向の長さは、第１リンク片２０に設けられている長穴２３の長さと略同一に形成されている（図３（ａ）参照）。そして、この長穴３３における支軸３１側には、ロックピンＰが挿入される幅広部３４が形成されている。また、長穴３３における支軸３１の反対側には、ロックピンＰの軸部の移動を許すとともに頭部の抜けを阻止する狭小部３５が形成されている。
【００３０】
また、第２リンク片３０の幅広部３４側における、障子Ｗが閉じられたときにロックピンＰと対向する側であって、幅方向室内側には、その幅広部３４の位置から幅方向に離れるにしたがってそのロックピンＰの頭部の頂部位置から離れるように傾斜した、すなわち、その幅広部３４の位置から離れるにしたがって縦框Ｗ１側に近づくように傾斜したガイド片３６が設けられている。
【００３１】
さらに、第２リンク片３０の狭小部３５のうち、支軸３１から最も離れた位置には、長穴３３の軸心から少し偏芯した位置（図２において上側の位置）に、ロックピンＰの頭部の抜けを可能とするように形成された開放部３７が形成されている。
【００３２】
以下、上記構成からなるロック装置Ａの動作を図３（ａ）〜（ｇ）を用いて説明する。
【００３３】
（ａ）障子ロック状態（図３（ａ））
障子Ｗが閉じられていて、ロックハンドルＲがロック状態にされているとき、ロックピンＰは、ベース片１０の空間１１、第１リンク片２０の長穴２３及び第２リンク片３０の長穴３３の上端付近に係合される。この状態において、ロックピンＰは、第１リンク片２０の狭小部２５（および第２リンク片３０の狭小部３５）に位置しているため、障子Ｗは施錠される。なお、ロックピンＰが開錠状態からこの施錠状態になる過程については、後述の図３（ｇ）で説明する。
【００３４】
（ｂ）障子ロック解除（図３（ｂ））
障子Ｗの開錠に際しては、ロックハンドルＲの解錠操作により、連動バーＢとともにロックピンＰが下側に移動する（図３（ｂ）の矢印参照）。この移動により、ロックピンＰがベース片１０の空間１１、第１リンク片２０の長穴２３及び第２リンク片３０の長穴３３の下端付近に位置し、この下端への移動により、第１リンク片２０においては、ロックピンＰが第１リンク片２０の長穴２３の幅広部２４に位置することになる。これにより、第１リンク片２０は、ロックピンＰから解放された状態に置かれる。
【００３５】
（ｃ）障子小開口開始（図３（ｃ））
第１リンク片２０がロックピンＰから解放された状態で、オペレータハンドルＨを回転させて障子Ｗの開きが開始されると（図３（ｃ）の矢印参照）、第２リンク片３０がロックピンＰにより支軸３１を中心にして回動が開始されるとともに、第１リンク片２０が第２リンク片３０の回動に伴われて支軸２１を中心にして回動が開始される。また、第１リンク片２０およびベース片１０は、それぞれ長穴に形成された開口からロックピンＰが抜去されるように構成されている。
【００３６】
（ｄ）障子小開口半開状態（図３（ｄ））
第１リンク片２０がロックピンＰから解放された状態で、オペレータハンドルＨの回転がさらに進められると、障子Ｗの開きがさらに広げられる（図３（ｄ）の矢印参照）。障子Ｗの開きに合わせて、第１リンク片２０及び第２リンク片３０の回動も進められる。
【００３７】
（ｅ）障子小開口停止状態（図３（ｅ））
オペレータハンドルＨの回転がさらに進められて、障子Ｗの開きが規定の障子小開口位置になると（図３（ｅ）の矢印参照）、ロックピンＰが第２リンク片３０の狭小部３５の先端位置（支軸３１から最も離れた位置）に達し、それ以上の移動が阻止される。このとき、第１リンク片２０及び第２リンク片３０が直線状に伸長して、オペレータハンドルＨによるこれ以上の回動は阻止される。これにより、障子Ｗの小開口状態が規定の開度に保持される。この小開口状態における障子の拘束力は、障子Ｗの戸先と縦枠Ｆ２との間で行われるため、強風等により障子Ｗに強い力が作用しても安定的に小開口状態が保持される。
【００３８】
（ｆ）障子小開口ロック解除（図３（ｆ））
障子Ｗの小開口状態から障子Ｗをさらに開く必要があるときは、第２リンク片３０（ガイド片３６）を手にして、第２リンク片３０の狭小部３５の先端位置に設けられている開放部３７にロックピンＰの頭部を移動させ（図３（ｆ）の矢印参照）、次いで、ガイド片３６を手前側（図３（ｆ）において紙面手前側）に移動させると、開放部３７からロックピンＰの頭部が抜去される。そして、開放部３７からロックピンＰ（の頭部）を外した状態で、第２リンク片３０（ガイド片３６）から手を放すと、コイルバネ２２及びコイルバネ３２の作用により、第１リンク片２０及び第２リンク片３０は、ベース片１０に折り畳まれるようにして積層される。これにより、障子Ｗは、ロックピンＰから解放された状態になるため、オペレータハンドルＨの回転をさらに進めることができ、障子Ｗを必要な開度に広げることができる。
【００３９】
（ｇ）障子小開口収納（図３（ｇ））
障子ＷがロックピンＰから解放された状態においては、ベース片１０、第１リンク片２０及び第２リンク片３０は積層状態を呈しているため、この状態でオペレータハンドルＨを障子Ｗが閉じる方向に回転させると、障子Ｗは閉じる方向（図３（ｇ）の矢印参照）に移動される。その移動により、ロックピンＰの頭部が第２リンク片３０のガイド片３６に接して案内され、そのロックピンＰの頭部がベース片１０の空間１１、第１リンク片２０の長穴２３及び第２リンク片３０の長穴３３内に挿入される。このときのロックピンＰの位置は、図３（ｂ）に示される状態となる。したがって、この図３（ｂ）に示される矢印方向と反対側にロックピンＰがロックハンドルＲの操作により連動バーＢとともに移動されると、すなわち、ロックピンＰが上方へ移動されると、障子Ｗは、図３（ａ）に示される施錠状態となる。
【００４０】
本実施形態のロック装置Ａは、ロック部材１がベース片１０、第１リンク片２０及び第２リンク片３０から構成されるとともに、これらベース片１０、第１リンク片２０及び第２リンク片３０が折り畳まれるようにして積層されるとともに、直線状に伸長できるように連結されているため、簡単な機構により、小開口機能を有するロック装置Ａを実現することができる。
【００４１】
また、リフォーム時に既存のロック部材の取り外した後に本実施形態のロック部材１に付け替えるだけで既存の建具Ｔに容易に小開口機能を付加することができる。このとき、ロックピンＰは障子Ｗの施解錠のために用いられるだけでなく、小開口状態を保持するためのピンとしても利用されることとなる。つまり、連動バーＢは既存のものを交換することなく使用することができる。
【００４２】
また、ロック部材１は、障子Ｗの戸先と縦枠Ｆ２との間を連結するように配されているため、強風等により障子Ｗに強い力が作用しても安定的に小開口状態を保持することができる。
【００４３】
そして、ロック部材１は、リンク片２０，３０が折り畳まれて積層可能に構成されている。つまり、ロック部材１の全長をベース片１０の全長と略同一の長さとすることができるため、障子Ｗが小型で框の長さが短い場合でも、容易に小開口制限機構を取り付けることができる。
【００４４】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００４５】
例えば、本実施形態は、オペレータハンドルＨを用いた建具Ｔのロック装置Ａの事例を示したが、グレモンハンドルやカムラッチハンドルを用いた建具の場合であってもよい。なお、グレモンハンドルの場合は、ロック部材１は枠体Ｆ側に設けられ、連動バーＢは障子Ｗ側に設けられる。
【００４６】
また、本実施形態では、リンク片は第１リンク片２０及び第２リンク片３０の２本としたが、障子Ｗの小開口の開口長を３等分以上に分割した長さの３本以上で構成してもよい。
【００４７】
また、本実施形態では、連動バーＢにロックピンＰを設け、障子Ｗの縦框Ｗ１にロック部材１を設けた場合で説明したが、連動バーＢにロック部材１を設け、障子Ｗの縦框Ｗ１にロックピンＰを設けた構成でもよい。
【００４８】
また、本実施形態では、縦すべり出し窓にロック装置Ａを配したが、横すべり出し窓やその他のロック装置を備えた建具にも採用できることは言うまでもない。
【００４９】
さらに、本実施形態では、縦すべり出し窓の戸先側にロック装置Ａを設けたが、ロック装置Ａは戸先側以外の場所に設けるように構成してもよい。
【符号の説明】
【００５０】
１…ロック部材，１０…ベース片，１１…空間，２０…第１リンク片，２３…長穴，３０…第２リンク片，３３…長穴，３６…ガイド片，Ｔ…建具，Ｆ…枠体，Ｗ…障子，Ｈ…オペレータハンドル，Ｒ…ロックハンドル，Ａ…ロック装置，Ｐ…ロックピン
【図１】
2015196969.tif 000003
【図２】
2015196969.tif 000004
【図３】
2015196969.tif 000005